(57)【要約】【課題】安価に製作可能で、しかも植栽容器の下側への害虫の侵入と、植栽容器の上側へ害虫の侵入とを効果的に防止可能な園芸用害虫防除シートを提供する。【解決手段】害虫防除剤を含ませたシート体に第１切れ目ＣＬ１を形成し、少なくとも植栽容器の上側又は植栽容器内の土壌の上側に敷設する第１シート２と、植栽容器の下側に敷設する第２シート３とに、第１切れ目ＣＬ１に沿って切り離し可能に一体化した。また、第２シート３に第２切れ目ＣＬ２を形成し、少なくとも植栽容器の下側に敷設する下部シート４と、植栽容器内の土壌に埋設配置する内部シート５とに、第２切れ目３に沿って切り離し可能に一体化した。【選択図】図１
2010154808.tif 000002
【特許請求の範囲】
【請求項１】
害虫防除剤を含ませたシート体に第１切れ目を形成し、少なくとも植栽容器の上側又は植栽容器内の土壌の上側に敷設する第１シートと、植栽容器の下側に敷設する第２シートとに、前記第１切れ目に沿って切り離し可能に一体化した、
ことを特徴とする園芸用害虫防除シート。
【請求項２】
前記第２シートに、植栽容器の脚部に沿って延びる取付部を切起こしにより形成し、該取付部の一方の面に粘着層を形成し、該粘着層を植栽容器の脚部に付着させて第２シートを植栽容器に固定可能となした請求項１記載の園芸用害虫防除シート。
【請求項３】
前記シート体の外周部側を第１シートとして用い、シート体の中央部側を第２シートとして用いた請求項１又は２記載の園芸用害虫防除シート。
【請求項４】
前記第２シートに第２切れ目を形成し、第２シートを、少なくとも植栽容器の下側に敷設する下部シートと、植栽容器内の土壌に埋設配置する内部シートとに、前記第２切れ目に沿って切り離し可能に一体化した請求項３記載の園芸用害虫防除シート。
【請求項５】
前記第１シートの一方の面に粘着層を形成し、該粘着層により第１シートを植栽容器のフランジ部上に固定可能となした請求項３又は４記載の園芸用害虫防除シート。
【請求項６】
前記シート体の中央部側を第１シートとして用い、シート体の外周部側を第２シートとして用いて、第１シートに植物の植設位置に対応させて開口を形成した請求項１又は２記載の園芸用害虫防除シート。
【請求項７】
前記第１シートに、第１シートの外縁部とその内側の開口とにわたる、切断可能な切れ目を形成した請求項１〜６のいずれか１項記載の園芸用害虫防除シート。
【請求項８】
前記第１シートと内部シートの少なくとも一方に肥料を含ませた請求項１〜７のいずれか１項記載の園芸用害虫防除シート。
【発明の詳細な説明】
【技術分野】
【０００１】
本発明は、植木鉢やプランターなどの植栽容器に好適に利用可能な園芸用害虫防除シートに関するものである。
【背景技術】
【０００２】
植木鉢やプランターなどの植栽容器に植えた植物に、ナメクジ、アブラムシ、カタツムリ、蟻等の害虫が付いて、植物が被害を受けることを未然に防止するための方法が種々提案され、実用化されている。
【０００３】
例えば、植物に対して農薬を定期的に散布する方法や、忌避剤あるいは殺虫剤を含ませた紐体やシートを、植栽容器や植物の枝に巻き付けたり（例えば、特許文献１参照。）、忌避剤あるいは殺虫剤を含ませたシートを植栽容器内の土壌の上側に敷設したり、該シートで植栽容器を被覆したり（例えば、特許文献２参照。）する方法が知られている。
【０００４】
【特許文献１】登録実用新案第３１１５６４３号公報
【特許文献２】特開２０００−２７０６８３号公報
【発明の開示】
【発明が解決しようとする課題】
【０００５】
ところで、特許文献１記載のように、植栽容器の高さ方向の途中部に、忌避剤あるいは殺虫剤を含ませた紐体を巻き付ける場合には、害虫が植栽容器の側面に沿って這い上がることを防止して、害虫による被害を未然に防止できるが、植栽容器の下側から植栽容器内へ害虫が入り込むことを防止できないという問題があった。
【０００６】
また、特許文献２記載のように、忌避剤あるいは殺虫剤を含ませたシート体で植栽容器全体を被覆する場合には、植栽容器の側面に沿って害虫が這い上がったり、植栽容器の下側へ害虫が侵入したりすることを効果的に阻止できるが、大きなシート体を用いる必要があるので、製作コストが高くなって、利用者の経済的な負担が大きくなるという問題がある。
【０００７】
本発明の目的は、安価に製作可能で、しかも植栽容器の下側への害虫の侵入と、植栽容器の上側への害虫の侵入とを効果的に防止可能な園芸用害虫防除シートを提供することである。
【課題を解決するための手段】
【０００８】
本発明に係る園芸用害虫防除シートは、害虫防除剤を含ませたシート体に第１切れ目を形成し、少なくとも植栽容器の上側又は植栽容器内の土壌の上側に敷設する第１シートと、植栽容器の下側に敷設する第２シートとに、前記第１切れ目に沿って切り離し可能に一体化したものである。
【０００９】
この園芸用害虫防除シートでは、第１切れ目に沿って、シート体を第１シートと第２シートとに切り離し、第１シートを植栽容器の上側又は植栽容器内の土壌の上側に敷設し、第２シートを植栽容器の下側に敷設することになる。第１シートは、植栽容器に植えられた植物を取り囲むように、植栽容器又は土壌に隙間なく環状に配置され、第２シートは、植栽容器の下面中央部を取り囲むように、植栽容器に隙間なく環状に配置される。このため、植栽容器の側面に沿って害虫が這い上ったとしても、該害虫は第１シートにより植栽容器内への侵入が忌避されたり殺虫されたりして防除され、植栽容器の下側への害虫の侵入は、第２シートにより忌避されたり殺虫されたりして防除されることになる。このように、第１及び第２シートにより害虫が防除されるので、植栽容器に植えた植物が害虫の被害を受けることを効果的に防止できる。また、１枚もののシート体を第１切れ目に沿って切り離すことで、第１シートと第２シートを得ることができるので、園芸用害虫防除シートを安価に製作することができる。しかも、園芸用害虫防除シートを薄肉なシート体で構成できるので、輸送性や保管性に優れたものとなる。ただし、第１シート及び第２シートは、隙間なく環状に配置させることが好ましいが、間隔をあけて間欠的に配置することも可能である。
【００１０】
ここで、前記第２シートに、植栽容器の脚部に沿って延びる取付部を切起こしにより形成し、該取付部の一方の面に粘着層を形成し、該粘着層を植栽容器の脚部に付着させて第２シートを植栽容器に固定可能となすことが好ましい実施の形態である。このように構成すると、第２シートの取付部を植栽容器の脚部に付着させて植栽容器に固定できるので、植栽容器を移動させたときに、植栽容器に対して第２シートを再度位置合せすることなく、適正な位置に第２シートを配置させることが可能となり、植木の配置換えを効率的に行なうことが可能となる。
【００１１】
また、第１の園芸用害虫防除シートのように、前記シート体の外周部側を第１シートとして用い、シート体の中央部側を第２シートとして用いることができる。
【００１２】
この第１の園芸用害虫防除シートにおいて、前記第２シートに第２切れ目を形成し、第２シートを、少なくとも植栽容器の下側に敷設する下部シートと、植栽容器内の土壌に埋設配置する内部シートとに、前記第２切れ目に沿って切り離し可能に一体化することが好ましい実施の形態である。この場合には、外側から植栽容器の下側へ侵入しようとする害虫を下部シートにより防除できる。また、万一下部シートを通過するなどして、害虫が植栽容器の下側に侵入した場合でも、内部シートにより植栽容器内へ侵入しようとする害虫が防除されるので、植栽容器に植えた植物を一層効果的に害虫から守ることができる。
【００１３】
また、前記第１の園芸用害虫防除シートにおいて、前記第１シートの一方の面に粘着層を形成し、該粘着層により第１シートを植栽容器のフランジ部上に固定可能となすことも好ましい実施の形態である。このように構成すると、第１シートの位置ズレや変形、風により吹き飛ばされることを防止して、害虫の忌避作用を安定的に得ることができる。
【００１４】
第２の園芸用害虫防除シートのように、前記シート体の中央部側を第１シートとして用い、シート体の外周部側を第２シートとして用いて、第１シートに植物の植設位置に対応させて開口を形成することもできる。
【００１５】
前記第１及び第２の園芸用害虫防除シートにおいて、前記第１シートに、第１シートの外縁部とその内側の開口とにわたる、切断可能な切れ目を形成することが好ましい実施の形態である。この場合には、植栽容器に植えている植物が既に成長している場合でも、第１シートを切れ目に沿って切断して、２つのシートに分割したり、切れ目に沿った両端部を広げたりすることで、植物に接触しないように第１シートを植物の根元に囲繞させて、第１シートを植栽容器内の土壌の上側に敷設できる。
【００１６】
また、前記第１シートと内部シートの少なくとも一方に肥料を含ませることも好ましい実施の形態である。この場合には、園芸用害虫防除シートに、害虫防除機能だけでなく、植物の生育促進機能を付与できる。
【発明の効果】
【００１７】
本発明に係る園芸用害虫防除シートによれば、第１シートを植栽容器の上側又は植栽容器内の土壌の上側に敷設するので、植栽容器の側面に沿って害虫が這い上ったとしても、該害虫が植栽容器内へ侵入することが第１シートにより防止される。また、第２シートを植栽容器の下側に敷設するので、植栽容器の下側への害虫の侵入が第２シートにより防止されることになる。このように、第１及び第２シートにより、植栽容器内への害虫の侵入が防止されるので、害虫が植栽容器に植えた植物に対してダメージを与えることを未然に且つ効果的に防止できる。しかも、１枚もののシート体に切れ目を形成することで園芸用害虫防除シートを製作できるので、園芸用害虫防除シートを安価に製作できるとともに、輸送性や保管性に優れた園芸用害虫防除シートを実現できる。
【発明を実施するための最良の形態】
【００１８】
以下、本発明を実施するための最良の形態について、図面を参照しながら説明する。
図１、図２に示すように、園芸用害虫防除シート１は、害虫防除剤を含ませたシート体で構成され、植栽容器１０の平面形状に応じた外形及び寸法に形成されている。害虫防除シート１の外形は、植栽容器１０の平面外形の略相似形に形成することが好ましく、例えば、平面視長方形状の植栽容器１０に適用する場合には、図１（ａ）に示す害虫防除シート１Ａのように長方形状に形成し、倒立円錐台状の素焼きの植木鉢に適用する場合には、図１（ｂ）に示す害虫防除シート１Ｂのように円形に形成することになる。ただし、害虫防除シート１の外形は、植栽容器１０の平面外形の略相似形に必ずしも形成する必要はなく、相似形以外の形状に形成することも可能である。また、本発明に係る害虫防除シート１は、害虫防除剤を含ませた帯状や紐状の部材と併用することも可能である。
【００１９】
害虫防除シート１には略環状の第１切れ目ＣＬ１が害虫防除シート１の外形と略相似形に形成され、害虫防除シート１は、外周部側の環状の第１シート２と中央部側の平板状の第２シート３とに第１切れ目ＣＬ１に沿って切り離し可能に一体化され、第１シート２は、図２に示すように植栽容器１０のフランジ部１１上に敷設したり、図３に示すように植栽容器１０内の土壌１５の上側に敷設したりできるように構成されている。植栽容器１０のフランジ部１１上に敷設する場合には、図示外の両面テープにより第１シート２をフランジ部１１に貼着したり、第１シート２に図示外の粘着層を一体的に形成したりして、第１シート２をフランジ部１１の上面に貼着することで、植栽容器１０に対する第１シート２の位置ズレを防止することができる。
【００２０】
第２シート３には第１切れ目ＣＬ１に沿ってその内側に略環状の第２切れ目ＣＬ２が形成され、第２シート３は、植栽容器１０の下側に敷設される環状の下部シート４と、植栽容器１０内の土壌１５に埋設配置される平板状の内部シート５とに、第２切れ目ＣＬ２に沿って切り離し可能に一体化されている。ただし、第２シート３は、図４に示すように、これをそのまま植栽容器１０の下側に敷設して使用することも可能である。尚、第１切れ目ＣＬ１と第２切れ目ＣＬ２に沿って切取線を印刷して、お年寄りでも切取位置を容易に把握できるように構成することが好ましい。また、第１切れ目ＣＬ１と第２切れ目ＣＬ２とをそれぞれ設定間隔をあけて複数本形成し、メーカーなどによって異なる植栽容器１０の大きさに応じて、第１シート２と下部シート４と内部シート５の大きさを微調整できるように構成することも好ましい実施の形態である。更に、害虫防除シート１に切取線のみをプリントして、利用者がカッターナイフや鋏等で切取線に沿って第１シート２と第２シート３とに切り分けるように構成することもできる。更にまた、第１切れ目ＣＬ１又は第２切れ目ＣＬ２の一方は省略することができる。
【００２１】
図１に示すように、第１シート２の長さ方向の途中部には切断可能な第３切れ目ＣＬ３が形成され、植物１６が既に成長している植栽容器１０に対して本発明を適用する場合には、第３切れ目ＣＬ３において第１シート２を切断し、植物１６に接触しないように第１シート２を広げて、植物１６の根元を取り囲むように、第１シート２を植栽容器１０の上側又は植栽容器１０内の土壌１５の上側に敷設することができるように構成されている。尚、この第３切れ目ＣＬ３を１対設けて、第１シート２をコ字状の２つの分割体に分割可能に構成し、側方より該分割体を植物１６の根元に挿入して、第１シート２を植栽容器１０の上側又は植栽容器１０内の土壌１５の上側に敷設することもできる。この場合には、該分割体の両端部を重ね合わせて、植栽容器１０の大きさに応じて第１シート２の大きさを調整することもできる。また、第３切れ目ＣＬ３を３本以上設けて、第１シート２の大きさをよりきめ細かく調整できるように構成することも可能で、例えば第１シート２の４辺の途中部に第３切れ目ＣＬ３をそれぞれ形成して、第１シート２の大きさを調整できるように構成することもできる。更にまた、下部シート４の長さ方向の途中部に切断可能な複数の切れ目を形成して、第１シート２と同様に植栽容器１０の大きさに応じて、その大きさを調整できるように構成することもできる。ただし、この第３切れ目ＣＬ３は省略することも可能である。
【００２２】
なお、図５、図６に示す害虫防除シート１Ｃのように、第２シート３の下部シート４に植栽容器１０の脚部１２の内側に沿って配置可能な取付部６を第４切れ目ＣＬ４に沿って切起こし可能に形成し、取付部６の一方の面に図示外の粘着層を形成したり、取付部６に図示外の両面テープを貼り付けたりして、取付部６を植栽容器１０の脚部１２の内面に付着させ、下部シート４を植栽容器１０に固定することもできる。この場合には、植栽容器１０の配置換えなどで、植栽容器１０を移動させるときに、下部シート４を植栽容器１０に付着させた状態で移動できるので、植栽容器１０に対する下部シート４の位置決め作業が不要となり、植栽容器１０の配置換えが容易に行なえる。
【００２３】
更に、前記害虫防除シート１Ａ〜１Ｃでは、外周部側の環状の第１シート２を植栽容器１０の上側又は植栽容器１０内の土壌１５の上側に敷設し、中央部側の平板状の第２シート３を植栽容器１０の下側に敷設したが、図７、図８に示す害虫防除シート１Ｄのように、中央部側の平板状の第１シート２Ｄを植栽容器１０内の土壌１５の上側に敷設し、外周部側の環状の第２シート３Ｄを植栽容器１０の下側に敷設することもできる。第１シート２Ｄの中央部には植物の植設位置に対応させて、長孔からなる開口２０を形成したり、一定間隔をあけて開口を形成したりして、開口内に植物を植えることになる。この場合には、第１シート２Ｄに対して、植物１６への害虫の移動を防止する機能と、土壌１５の上面を覆うマルチング機能を付与できる。また、開口２０の位置において第１シート２Ｄを２つに分割する第５切れ目ＣＬ５を形成して、第５切れ目ＣＬ５に沿って第１シート２Ｄを分割し、分割した第１シート２Ｄを側方より植物１６の根元を取り囲むように土壌１５の上側に敷設することで、植物１６を傷付けないように第１シート２Ｄを敷設することができる。ただし、第５切れ目ＣＬ５は省略することも可能である。
【００２４】
害虫防除シート１を構成するシート体としては、合成樹脂、天然繊維、再生繊維、生分解性繊維などからなる、厚さ０．１ｍｍ〜２０ｍｍ、好ましくは０．５ｍｍ〜１０ｍｍのシート状の織布、不織布、編み物、フェルト、紙又は網状体などの素材で構成できるが、合成樹脂材料からなる発泡体やスポンジ、発泡或いは非発泡の樹脂シートで構成することもできる。合成繊維としては、ポリエステル繊維、ポリアミド繊維、アクリル繊維及びポリオレフィン繊維などを採用でき、天然繊維としては、綿、亜麻、大麻等の麻、セルロース、竹、サイザル、ケナフ、ジュート、羊毛、絹などを採用でき、再生繊維としては、レーヨン、アセテートなどを採用でき、生分解性繊維としては、ポリカプロラクトン、ポリブチレンサクシネート等の脂肪族ポリエステル系生分解性樹脂、ポリ乳酸系生分解性樹脂、ポリビニルアルコール系生分解性樹脂、ポリウレタン系生分解性樹脂などからなる繊維を採用できる。
【００２５】
また、シート体を織布、不織布、編み物又はフェルトで構成する場合には、シート体の引っ張り強度が高くなり、害虫防除シート１が切れ目に沿って切り離し難くなるので、シート体に合成樹脂フィルムや薄紙などからなるフィルム体を積層したものを害虫防除シート１として採用することもできる。この場合には、シート体に関しては、連続的な環状の切れ目ＣＬ１〜ＣＬ５を形成し、フィルム体に関しては、シート体の切れ目ＣＬ１〜ＣＬ５に対応する位置に、間欠的に切れ目を形成したり、ハーフカットを形成したり、ミシン目を形成したり、これらを組み合わせて形成したりして、フィルム体を切り離すことで、害虫防除シート１を複数のシート体に分割できるように構成することが好ましい。
【００２６】
害虫防除シート１には、ナメクジ、アブラムシ、カタツムリ、夜盗虫、青虫、蟻等の害虫を防除する園芸用の忌避剤、防虫剤、または殺虫剤からなる防除剤が、含浸させたり、担持させたり、シート体の素材に練りこんだりして添加されている。
【００２７】
忌避剤として、ポリフェノール類、テルペン類、界面活性剤及び銅化合物からなる群より選ばれる少なくとも１種を成分として含むものを採用できる。
【００２８】
殺虫剤としては、有機リン酸系殺虫剤、カルバミド殺虫剤、ピレスロイド系殺虫剤、ネオニコチノイド系殺虫剤、またはネライストキシン系殺虫剤などの神経系阻害剤、トルフェンピラド、ピロール系、またはマクロライド系などの呼吸阻害剤、ベンゾイルウレア系殺虫剤、ブプロフェジン剤、テブフェノジド剤などの昆虫生長制御剤などを採用できる。
【００２９】
防虫剤としては、ピレスロイド、アレスリン、フラメトリンなどの成分を含む防虫剤や、リナロールやアネトールなどの天然物由来の防虫剤を利用できる。
【００３０】
特に、キトサンと、銅、亜鉛、銀、鉄、モリブデンから選ばれる金属の塩化物等の強酸塩とを反応させてなるキトサンの金属錯塩からなる防除剤（防虫・忌避剤）を好適に採用できる。このような防除剤を使用すると、害虫防除シート１のシート体を構成する素材として天然繊維を用いた場合において、防除剤の付着量を調整することで、害虫防除シート１の腐朽速度を遅く防除効果を高く調整することができること、腐朽を遅らせることで、忌避効果が維持できること、シートのマルチング効果により雑草が生え難くなるので植物の生育を促進できること、キトサン銅塩は、分子が大きいため、容易に植物に吸収されず、植物に残留し難いので好ましいこと、中性の水には溶脱しないので、長期にわたって防除効果を維持できること、放線菌が活性化し、線状菌が衰退するので、植物の生育環境を改善でき、植物の生育を促進できること、害虫の忌避効果も有すること、天然繊維を用いることで、腐朽後は害虫防除シート１自体が肥料になること、廃棄のため焼却してもダイオキシンなどの有毒ガスが発生しないこと、などの効果が得られる。
【００３１】
尚、害虫防除シート１には防除剤以外に、保水剤や肥料や除草剤などを含ませることも可能である。肥料としては、植物の種類等及び施肥の目的等により周知のものを適宜に採用できる。
【図面の簡単な説明】
【００３２】
【図１】（ａ）はプランター用の害虫防除シートの斜視図、（ｂ）は植木鉢用の害虫防除シートの斜視図
【図２】害虫防除シートを配置させた植栽容器の断面図
【図３】害虫防除シートの他の使用形態の説明図
【図４】害虫防除シートの他の使用形態の説明図
【図５】他の構成のプランター用の害虫防除シートの斜視図
【図６】同プランター用の害虫防除シートを配置させた植栽容器の要部断面図
【図７】他の構成のプランター用の害虫防除シートの使用形態の説明図
【図８】同害虫防除シートの斜視図
【符号の説明】
【００３３】
１      害虫防除シート      １Ａ    害虫防除シート
１Ｂ    害虫防除シート      １Ｃ    害虫防除シート
１Ｄ    害虫防除シート
２      第１シート          ３      第２シート
４      下部シート          ５      内部シート
６      取付部
１０    植栽容器            １１    フランジ部
１２    脚部
１５    土壌                １６    植物
２０    開口
２Ｄ    第１シート          ３Ｄ    第２シート
ＣＬ１  第１切れ目          ＣＬ２  第２切れ目
ＣＬ３  第３切れ目          ＣＬ４  第４切れ目
ＣＬ５  第５切れ目
【図１】
2010154808.tif 000003
【図２】
2010154808.tif 000004
【図３】
2010154808.tif 000005
【図４】
2010154808.tif 000006
【図５】
2010154808.tif 000007
【図６】
2010154808.tif 000008
【図７】
2010154808.tif 000009
【図８】
2010154808.tif 000010